(57)【特許請求の範囲】
【請求項１】
ＢＴＬ出力方式Ｄ級アンプの出力段に設けられるキャリア周波数除去用のローパスフィルタを構成するフィルタコイルにおいて、
巻き線方向の異なる同一のインダクタンス値を有するコイルを軸方向に沿って、偶数個、隣接して配置し、かつ１パッケージに収納したことを特徴とするフィルタコイル。
【請求項２】
ＢＴＬ出力方式Ｄ級アンプの出力段に設けられるキャリア周波数除去用のローパスフィルタを構成するフィルタコイルにおいて、
同一のインダクタンス値を有するコイルを軸方向に沿って、偶数個、隣接して配置し、かつ隣接するコイルは相互に巻き線方向が異なるようにして該巻き線方向が異なる２つのコイルを一対として複数対のコイルを１パッケージに収納したことを特徴とするフィルタコイル。
【請求項３】
ＢＴＬ出力方式Ｄ級アンプの出力段に設けられるキャリア周波数除去用のローパスフィルタを構成するフィルタコイルにおいて、
巻き線方向が相互に異なる同一のインダクタンス値を有する一対のコイルを、複数対、軸方向に沿って、隣接して配置すると共に、異なる対のコイル間に磁気シールド壁を設けて１パッケージに収納したことを特徴とするフィルタコイル。
【請求項４】
ＢＴＬ出力方式Ｄ級アンプの出力段に設けられるキャリア周波数除去用のローパスフィルタを構成するフィルタコイルにおいて、
巻き線方向が相互に異なる同一のインダクタンス値を有する一対のコイルを、複数対、一本のコアにその軸方向に沿って、巻回したことを特徴とするフィルタコイル。
【請求項５】
隣接するコイル対間に磁気シールド壁を設けたことを特徴とする請求項４に記載のフィルタコイル。
【請求項６】
請求項１乃至５のいずれかに記載のフィルタコイルをインダクタンスとして使用することを特徴とするローパスフィルタ。
【請求項７】
出力段に請求項６に記載のローパスフィルタを有することを特徴とするＢＴＬ出力方式Ｄ級アンプ。
【発明の詳細な説明】
【０００１】
【発明の属する技術分野】
本発明は、ＢＴＬ（Ｂｒｉｄｇｅｄ  Ｔｉｅｄ  Ｌｏａｄ）出力方式Ｄ級アンプ用フィルタコイル、これを用いたローパスフィルタ及びこのローパスフィルタを有するＢＴＬ出力方式Ｄ級アンプに関する。
【０００２】
【従来の技術】
本発明が適用されるＢＴＬ出力方式Ｄ級アンプの概略構成を図１に示す。このＢＴＬ出力方式Ｄ級アンプは、Ｒ、Ｌ、２チャンネルのスピーカ駆動用アンプである。同図において、ＢＴＬ出力方式Ｄ級アンプ１は、入力信号のレベルに応じたパルス幅のＰＷＭ信号を出力するＰＷＭ変調器１０、１１と、図示してない＋電源と−電源との間に接続されたＭＯＳトランジスタ等のスイッチング素子を駆動するドライバ（図１では、スイッチング素子を省略している。）１２〜１５とを有している。
【０００３】
また、２０、２１は負荷としてのスピーカであり、コンデンサＣ１及びインダクタンスＬ１、コンデンサＣ２及びインダクタンスＬ２、コンデンサＣ３及びインダクタンスＬ３、コンデンサＣ４及びインダクタンスＬ４は、それぞれ、ＢＴＬ出力方式Ｄ級アンプ１の出力段に設けられたローパスフィルタである。このローパスフィルタは、アンプ出力のキャリア周波数成分を除去するためのフィルタである。
上記構成において、ドライバ１２、１４には、それぞれ、ＰＷＭ変調器１０、１１より入力信号に応じてＰＷＭ変調した信号が入力され、ドライバ１３、１５には、ドライバ１２、１４に入力される信号を反転した信号が入力される。
【０００４】
この結果、ドライバ１２、１４からはＰＷＭ信号の極性に応じて＋電源または−電源の電源電圧が、また、ドライバ１３、１５からもＰＷＭ信号の極性に応じて＋電源または−電源の電源電圧が出力されるが、ドライバ１２、１４とドライバ１３、１５とでは入力される電源電圧の極性が反転しているために、負荷であるスピーカ２０、２１には、電源電圧の２倍の振幅のパルス電圧が印加されることとなる。図１において、ドライバ１２〜１５の出力部に示す矢印は、ＢＴＬ出力における＋極性出力と−極性出力との間におけるそれぞれ、負荷２０、２１に対して流れる電流の方向の関係を示している。
【０００５】
上述したＢＴＬ出力方式Ｄ級アンプでは、片チャンネルあたり＋、−の極性出力に対して２個のキャリア周波数成分除去用ローパスフィルタを使用し、ＲチャンネルとＬチャンネルでは合計４個のローパスフィルタを使用していた。
【０００６】
【発明が解決しようとする課題】
従来のＢＴＬ出力方式Ｄ級アンプでは２チャンネルのスピーカを駆動するのにキャリア周波数成分除去用ローパスフィルタが４個必要であるために、ローパスフィルタを構成するフィルタコイルをコイル単品で４個、使用していた。
また、従来のコモンモードコイルを使用する方式では、図８に示すように巻線方向が同一のコイルが複数、内蔵されたコモンモードコイルを使用し、外部配線の一部をクロスさせて使用していた。図８において、８０、８１は巻線方向が同一のコモンモードコイルであり、パッケージ９０にコイルの軸方向に沿って隣接するように内蔵されている。
【０００７】
９１、９２、９３，９４はそれぞれ、コイルの端部が接続される端子であり、各端子には配線９５、９６、９７、９８が接続され、Ｄ級アンプのＢＴＬ出力の極性を考慮して２つのコモンモードコイルの内、一方のコモンモードコイル８１の配線はクロスさせて使用されるようになっていた。
【０００８】
上述したＢＴＬ出力方式Ｄ級アンプの出力段に設けられるＰＷＭ変調器のキャリア周波数成分を除去するためのローパスフィルタを構成するコイル単品を４個使用する従来方式では、単品コイル４個を使用するために部品コストと、実装面積が増加するとい問題が有った。
【０００９】
また、ローパスフィルタに従来のコモンモードコイルを使用する方式では、ＢＴＬ出力方式Ｄ級アンプの＋極性出力と−極性出力では、電流の流れる方向が逆向きになるため、巻線方向が同一のコイルを複数、内蔵したコモンモードコイルでは、コイル間の誘導結合を防ぐため、片方のコイルの外部配線を基板配線でクロスさせて使用する必要が有る。このために、基板配線が複雑になり、不要輻射の対策も困難であるという問題が有った。
【００１０】
本発明はこのような事情に鑑みてなされたものであり、実装面積の低減及びコストの低減を図り、かつ不要輻射を防止することができるフィルタコイル、ローパスフィルタ及びＢＴＬ出力方式Ｄ級アンプを提供することを目的とする。
【００１１】
【課題を解決するための手段】
上記目的を達成するために請求項１に記載の発明は、ＢＴＬ出力方式Ｄ級アンプの出力段に設けられるキャリア周波数除去用のローパスフィルタを構成するフィルタコイルにおいて、巻き線方向の異なる同一のインダクタンス値を有するコイルを軸方向に沿って、偶数個、隣接して配置し、かつ１パッケージに収納したことを特徴とする。
【００１２】
また、請求項２に記載の発明は、ＢＴＬ出力方式Ｄ級アンプの出力段に設けられるキャリア周波数除去用のローパスフィルタを構成するフィルタコイルにおいて、同一のインダクタンス値を有するコイルを軸方向に沿って、偶数個、隣接して配置し、かつ隣接するコイルは相互に巻き線方向が異なるようにして該巻き線方向が異なる２つのコイルを一対として複数対のコイルを１パッケージに収納したことを特徴とする。
【００１３】
また、請求項３に記載の発明は、ＢＴＬ出力方式Ｄ級アンプの出力段に設けられるキャリア周波数除去用のローパスフィルタを構成するフィルタコイルにおいて、巻き線方向が相互に異なる同一のインダクタンス値を有する一対のコイルを、複数対、軸方向に沿って、隣接して配置すると共に、異なる対のコイル間に磁気シールド壁を設けて１パッケージに収納したことを特徴とする。
【００１４】
また、請求項４に記載の発明は、ＢＴＬ出力方式Ｄ級アンプの出力段に設けられるキャリア周波数除去用のローパスフィルタを構成するフィルタコイルにおいて、巻き線方向が相互に異なる同一のインダクタンス値を有する一対のコイルを、複数対、一本のコアにその軸方向に沿って、巻回したことを特徴とする。
【００１５】
また、請求項５に記載の発明は、請求項４に記載のフィルタコイルにおいて、隣接するコイル対間に磁気シールド壁を設けたことを特徴とする。
【００１６】
また、請求項６に記載の発明は、請求項１乃至５のいずれかに記載のフィルタコイルをローパスフィルタのインダクタンスとして使用することを特徴とする。
【００１７】
請求項６に記載の発明によれば、請求項１乃至４のいずれかに記載のフィルタコイルをローパスフィルタのインダクタンスとして使用するようにしたので、このローパスフィルタをＢＴＬ出力方式Ｄ級アンプの出力段に設けられるキャリア周波数除去用のローパスフィルタとして使用することにより、ローパスフィルタの実装面積の低減及びコストの低減が図れ、かつ不要輻射を防止することができる。
【００１８】
また、請求項７に記載の発明は、ＢＴＬ出力方式Ｄ級アンプにおいて、出力段に請求項６に記載のローパスフィルタを有することを特徴とする。
【００１９】
請求項７に記載の発明によれば、ＢＴＬ出力方式Ｄ級アンプにおいて、出力段に請求項５に記載のローパスフィルタを使用するようにしたので、ＢＴＬ出力方式Ｄ級アンプの小型化及び低コスト化が図れ、かつローパスフィルタのコイル外部配線に起因する不要輻射を防止することができる。
【００２０】
【発明の実施の形態】
以下、本発明の実施の形態を、図面を参照して詳細に説明する。本発明の第１の実施の形態に係るフィルタコイルの構成を図２に示す。このフィルタコイルは、ＢＴＬ出力方式Ｄ級アンプの出力段に設けられるキャリア周波数除去用のローパスフィルタを構成するフィルタコイルである。図２に示すように、本実施の形態に係るフィルタコイルは、巻き線方向の異なる同一のインダクタンス値を有する偶数個（図２では２個）のコイル３０、３１をコイルの軸方向に沿って、隣接して配置され、かつ１つのパッケージ４０に収納されている。
【００２１】
図２では説明の便宜上、２個のコイルしか示されていないが、巻線方向の異なり、かつインダクタンス値が同一の一対のコイルを複数対、１パッケージに収納してもよい。
また、コイル３０の端部は端子４１、４２に、またコイル３１の端部は端子４３、４４にそれぞれ接続されている。また、端子４１、４２は、配線４５、４７に、端子４３、４４は配線４６、４８にそれぞれ、接続されている。
【００２２】
上記構成からなるフィルタコイルを、図１に示すローパスフィルタのインダクタンスＬ１、Ｌ２として使用した場合におけるフィルタコイルの動作を、図３を参照して説明する。
図３において、配線４５は図１におけるドライバ（ＢＴＬアンプ）１２の出力端が接続され、配線４６はドライバ（ＢＴＬアンプ）１３の出力端が接続されている。また、配線４７、４８はスピーカに接続されている。
【００２３】
上記構成において、図１におけるＢＴＬ出力方式Ｄ級アンプ１が動作すると、ドライバ１２、１３には大きさが同一で、かつ位相が相互に反転したＰＷＭ信号に応じたスイッチング電圧が出力されるために、配線４５、４６には、図に示す矢印Ｘ、Ｙで示すように相互に逆方向に電流が流れる。ドライバ１２より正の極性の信号が出力される場合には、ドライバ１３からはその出力を反転した信号が出力される関係にあるので、ドライバ１２よりコイル３０に矢印Ｘ方向で電流が流れ、スピーカ２０に供給されると共に、スピーカ２０、コイル３１を介してドライバ１３に対して矢印Ｙ方向に電流が流れ込む。
【００２４】
このとき、コイル３０、３１に流れる電流によって発生する磁束の向きは、図３に破線で示すように、相互に打ち消す方向になり、コイル３０とコイル３１との間における誘導結合は最小に抑制される。
【００２５】
これに対して、従来型のコモンモードコイルを、図１に示すローパスフィルタのインダクタンスＬ１、Ｌ２として使用した場合におけるフィルタコイルの動作を、図４を参照して説明する。図４に示すように、従来型のコモンモードコイルは、巻線方向が同一のコイル５０、５１がコイルの軸方向に沿って隣接するように配置され、パッケージ６０に収納されている。
【００２６】
コイル５０の端部は端子６１、６２に、またコイル５１の端部は端子６３、６４にそれぞれ接続されている。また、端子６１、６２は、配線６５、６７に、端子６３、６４は配線６６、６８にそれぞれ、接続されている。
【００２７】
上記構成において、従来型のコモンモードコイルを本実施の形態に係るフィルタコイルと置き換えて動作させた場合に、既述した理由により、ドライバ１２よりコイル５０に矢印Ｘ方向で電流が流れ、スピーカ２０に供給されると共に、スピーカ２０、コイル５１を介してドライバ１３に対して矢印Ｙ方向に電流が流れ込む。ここで、コイル５０、５１の巻線方向が同一方向であるために、コイル５０とコイル５１に発生する磁束は、互いに増強する方向となり、誘導結合が発生する。
【００２８】
したがって、従来型のコモンモードコイルをＢＴＬ出力方式Ｄ級アンプのローパスフィルタに使用する場合には、図８に示すように、図４におけるコイル５１の配線６６を外部配線で交差させてドライバ１３及びスピーカ２０に接続するようにして、コイル５１に流れる電流の方向を反転させて、コイル５１に発生する磁束の方向も反転させる必要がある。このために従来型のコモンモードコイルをＢＴＬ出力方式Ｄ級アンプのローパスフィルタに使用すると実装面積の増大、部品コストの増大、不要輻射の対策が困難であるという問題が有った。
【００２９】
本発明の第１の実施の形態に係るフィルタコイルによれば、同一のインダクタンス値を有するコイルを軸方向に沿って、偶数個、隣接して配置し、かつ隣接するコイルは相互に巻き線方向が異なるようにして該巻き線方向が異なる２つのコイルを一対として複数対のコイルを１パッケージに収納するようにしたので、実装面積の低減及びコストの低減が図れる。
【００３０】
また、ＢＴＬ出力方式Ｄ級アンプにおけるＢＴＬ出力の＋極性出力と、−極性出力は大きさが同じで、位相が１８０度、異なるだけであるので、巻線方向の異なる１対のコイルには磁束が互いにキャンセルする方向に発生し、誘導結合を防げる。それゆえ、従来のようにコイルの外部配線をクロスさせる等の必要が無くなり、基板配線が複雑化することに起因する不要輻射を防止することができる。
【００３１】
次に、本発明の第２の実施の形態に係るフィルタコイルの構成を図５に示す。本実施の形態に係るフィルタコイルは、ＢＴＬ出力方式Ｄ級アンプの出力段に設けられるキャリア周波数除去用のローパスフィルタを構成するフィルタコイルである。
図５において、巻き線方向が相互に異なり、かつ同一のインダクタンス値を有する一対のコイル１００、１０１がコイルの軸方向に沿って隣接してパッケージ１１０に収納されている。コイル１００の端部は端子１３０、１３１に、またコイル１０１の端部は端子１３２、１３３にそれぞれ接続されている。
【００３２】
また、巻き線方向が相互に異なり、かつ同一のインダクタンス値を有する他の一対のコイル１０２、１０３がコイルの軸方向に沿って隣接してパッケージ１１０に収納されている。コイル１０２の端部は端子１３４、１３５に、またコイル１０３の端部は端子１３６、１３７にそれぞれ接続されている。そして一対のコイル１００、１０１と、他の一対のコイル１０２、１０３との間には磁気シールド壁１２０が設けられている。
【００３３】
上記構成からなる本実施の形態に係るフィルタコイルを図１に示した４つのローパスフィルタ（ＬＣフィルタ）のインダクタンスＬ１〜Ｌ４として使用する場合には、例えば、コイル１００をインダクタンスＬ１に、コイル１０１をインダクタンスＬ２に、またコイル１０２をインダクタンスＬ３に、コイル１０３をインダクタンスＬ４として使用する。
【００３４】
この場合に、コイル１００の端子１３０はドライバ１２の出力端に、端子１３１はスピーカ２０の一方の入力端に、コイル１０１の端子１３２はドライバ１３の出力端に、端子１３３はスピーカ２０の他方の入力端子に、それぞれ、接続される。
また、コイル１０２の端１３４はドライバ１４の出力端に、端子１３５はスピーカ２１の一方の入力端に、コイル１０３の端子１３６はドライバ１５の出力端に、端子１３７はスピーカ２１の他方の入力端にそれぞれ、接続されている。
【００３５】
このようにして、図１に示すＢＴＬ出力方式Ｄ級アンプ１を動作させると、既述したように一対のコイル１００、１０１では、相互に打ち消す方向に磁束が発生するので、コイル１００、１０１では誘導結合が抑制される。
また、同様に他の一対のコイル１０２、１０３においても、相互に打ち消す方向に磁束が発生するので、コイル１０２、１０３では誘導結合が抑制される。
【００３６】
さらに、本実施の形態では、隣接するコイル対間に磁気シールド壁１２０を設けることにより異なるコイル対間における誘導結合が抑制される。
本実施の形態では、説明の便宜上、２対のコイルをパッケージ１１０に収納した例について示しているが、巻線方向の異なる一対のコイルを単位として、２以上の複数対のコイルを１パッケージに収納するようにしてもよい。その場合には、異なる対間の境界にそれぞれ、磁気シールド壁を設けるものとする。
【００３７】
このように、本発明の第２の実施の形態に係るフィルタコイルによれば、巻き線方向が相互に異なり、かつ同一のインダクタンス値を有する一対のコイルを、複数対、軸方向に沿って、隣接して配置すると共に、異なる対のコイル間に磁気シールド壁を設けて１パッケージに収納したので、第１の実施の形態により得られる効果に加えて、隣接するコイル対間での誘導結合を防止することができる。
【００３８】
次に、本発明の第３の実施の形態に係るフィルタコイルの構成を図６に示す。本実施の形態に係るフィルタコイルは、ＢＴＬ出力方式Ｄ級アンプの出力段に設けられるキャリア周波数除去用のローパスフィルタを構成するコイルである。図６において、ボビン２１０のコア２１０Ａには、巻き線方向が相互に異なる同一のインダクタンス値を有する一対のコイル２００、２０１が、コア２１０Ａの軸方向に沿って、巻回されている。
尚、図６では、説明の便宜上、一対のコイルについてしか示していないが、このような一対のコイルを、複数対、コア２１０Ａに巻回するようにしてもよい。
【００３９】
上記構成からなるフィルタコイルを図１に示す出力段に設けられた４つのローパスフィルタのうち、例えば、インダクタンスＬ１、Ｌ２として使用する場合には、コイル２００の接続端２００Ａはドライバ１２の出力端に、接続端２００Ｂは、スピーカ２０の一方の入力端に、またコイル２０１の接続端２０１Ａはドライバ１３の出力端に、接続端２０１Ｂはスピーカ２０の他方の入力端にそれぞれ接続される。このように接続してＢＴＬ出力方式Ｄ級アンプ１を動作させた場合の各コイルの動作は、既述した実施の形態と同様であるので、説明を省略する。
【００４０】
本発明の第３の実施の形態に係るフィルタコイルによれば、巻き線方向が相互に異なる同一のインダクタンス値を有する一対のコイルを、複数対、一本のコアにその軸方向に沿って、巻回したので、実装面積の低減及びコストの低減が図れる。
【００４１】
また、ＢＴＬ出力方式Ｄ級アンプにおけるＢＴＬ出力の＋極性出力と、−極性出力は大きさが同じで、位相が１８０度、異なるだけであるので、巻線方向の異なる１対のコイルには磁束が互いにキャンセルする方向に発生し、誘導結合を防げる。それゆえ、従来のようにコイルの外部配線をクロスさせる等の必要が無くなり、基板配線が複雑化することに起因する不要輻射を防止することができる。
【００４２】
次に、本発明の第４の実施の形態に係るフィルタコイルの構成を図７に示す。本実施の形態に係るフィルタコイルの構成が第３の実施の形態に係るフィルタコイルと構成上、異なるのは、コア２１０Ａに巻回されたインダクタンス値が同一で巻線方向の異なる一対のコイル２００、２０１の境界に磁気シールド壁２１０Ｂを設けた点であり、他の構成は同一であるので、重複する説明は省略する。
【００４３】
また、図７では、インダクタンス値が同一で巻線方向の異なる一対のコイル２００、２０１の境界に磁気シールド壁を設けたが、これに限らず、インダクタンス値が同一で巻線方向の異なる一対のコイルを単位とし、複数対のコイルをボビン２１０のコア２１０Ａに巻回し、隣接するコイル対間にシールド壁を設けるようにしてもよい。
【００４４】
本発明の第４の実施の形態に係るフィルタコイルによれば、巻き線方向が相互に異なる同一のインダクタンス値を有する一対のコイルを、複数対、一本のコアに軸方向に沿って、巻回し、隣接するコイル対間に磁気シールド壁を設けたので、隣接するコイル対間における誘導結合を抑制することができる。
【００４５】
また、上記各実施形態に係るフィルタコイルをローパスフィルタのインダクタンスとして使用することにより、このローパスフィルタをＢＴＬ出力方式Ｄ級アンプの出力段に設けられるキャリア周波数除去用のローパスフィルタとして使用することにより、ローパスフィルタの実装面積の低減及びコストの低減が図れ、かつ不要輻射を防止することができる。
【００４６】
さらに、出力段に上記各実施形態に係るフィルタコイルをインダクタンスとして使用したローパスフィルタをＢＴＬ出力方式Ｄ級アンプの出力段に設けるローパスフィルタに使用することにより、ＢＴＬ出力方式Ｄ級アンプの小型化及び低コスト化が図れ、かつローパスフィルタのコイル外部配線に起因する不要輻射を防止することができる。
【００４７】
【発明の効果】
請求項１に記載の発明によれば、巻き線方向の異なる同一のインダクタンス値を有するコイルを軸方向に沿って、偶数個、隣接して配置し、かつ１パッケージに収納するようにしたので、実装面積の低減及びコストの低減が図れる。
【００４８】
請求項２に記載の発明によれば、同一のインダクタンス値を有するコイルを軸方向に沿って、偶数個、隣接して配置し、かつ隣接するコイルは相互に巻き線方向が異なるようにして該巻き線方向が異なる２つのコイルを一対として複数対のコイルを１パッケージに収納するようにしたので、実装面積の低減及びコストの低減が図れる。
【００４９】
また、ＢＴＬ出力方式Ｄ級アンプにおけるＢＴＬ出力の＋極性出力と、−極性出力は大きさが同じで、位相が１８０度、異なるだけであるので、巻線方向の異なる１対のコイルには磁束が互いにキャンセルする方向に発生し、誘導結合を防げる。それゆえ、従来のようにコイルの外部配線をクロスさせる等の必要が無くなり、基板配線が複雑化することに起因する不要輻射を防止することができる。
【００５０】
請求項３に記載の発明によれば、巻き線方向が相互に異なる同一のインダクタンス値を有する一対のコイルを、複数対、軸方向に沿って、隣接して配置すると共に、異なる対のコイル間に磁気シールド壁を設けて１パッケージに収納したので、請求項２による発明により得られる効果に加えて、コイル対間での誘導結合を防止することができる。
【００５１】
請求項４に記載の発明によれば、巻き線方向が相互に異なる同一のインダクタンス値を有する一対のコイルを、複数対、一本のコアにその軸方向に沿って、巻回したので、実装面積の低減及びコストの低減が図れる。
【００５２】
また、ＢＴＬ出力方式Ｄ級アンプにおけるＢＴＬ出力の＋極性出力と、−極性出力は大きさが同じで、位相が１８０度、異なるだけであるので、巻線方向の異なる１対のコイルには磁束が互いにキャンセルする方向に発生し、誘導結合を防げる。それゆえ、従来のようにコイルの外部配線をクロスさせる等の必要が無くなり、基板配線が複雑化することに起因する不要輻射を防止することができる。
【００５３】
請求項５に記載の発明によれば、巻き線方向が相互に異なる同一のインダクタンス値を有する一対のコイルを、複数対、一本のコアに軸方向に沿って、巻回し、隣接するコイル対間に磁気シールド壁を設けたので、隣接するコイル対間における誘導結合を抑制することができる。
【００５４】
請求項６に記載の発明によれば、請求項１乃至５のいずれかに記載のフィルタコイルをローパスフィルタのインダクタンスとして使用するようにしたので、このローパスフィルタをＢＴＬ出力方式Ｄ級アンプの出力段に設けられるキャリア周波数除去用のローパスフィルタとして使用することにより、ローパスフィルタの実装面積の低減及びコストの低減が図れ、かつ不要輻射を防止することができる。
【００５５】
請求項７に記載の発明によれば、ＢＴＬ出力方式Ｄ級アンプにおいて、出力段に請求項６に記載のローパスフィルタを使用するようにしたので、ＢＴＬ出力方式Ｄ級アンプの小型化及び低コスト化が図れ、かつローパスフィルタのコイル外部配線に起因する不要輻射を防止することができる。
【図面の簡単な説明】
【図１】本発明が適用されるＢＴＬ出力方式Ｄ級アンプの構成を示す回路図。
【図２】本発明の第１の実施の形態に係るフィルタコイルの構成を示す結線図。
【図３】図２に示した本発明の第１の実施の形態に係るフィルタコイルを図１に示すＢＴＬ出力方式Ｄ級アンプの出力段に設けられたローパスフィルタの回路要素として使用した際の動作状態を示す説明図。
【図４】従来型のコモンモードコイルを本発明の実施の形態に係るフィルタコイルと置き換えて動作させた場合の状態を示す説明図。
【図５】本発明の第２の実施の形態に係るフィルタコイルの構成を示す結線図。
【図６】本発明の第３の実施の形態に係るフィルタコイルの構成を示す結線図。
【図７】本発明の第４の実施の形態に係るフィルタコイルの構成を示す結線図。
【図８】従来型のコモンモードコイルの構成を示す結線図。
【符号の説明】
１…ＢＴＬ出力方式Ｄ級アンプ、１０、１１…ＰＷＭ変調器、１２、１３、１４、１５…ドライバ、２０、２１…スピーカ、Ｌ１〜Ｌ４…インダクタンス、Ｃ１〜Ｃ４…コンデンサ、３０、３１、１００〜１０３、２００、２０１…コイル、４０…パッケージ、４１〜４４、１３０〜１３７…端子、４５〜４８…配線、１１０…パッケージ、１２０、２１０Ｂ…磁気シールド壁、２１０…ボビン、２１０Ａ…コア。
【図１】
0003633541.tif 000002
【図２】
0003633541.tif 000003
【図３】
0003633541.tif 000004
【図４】
0003633541.tif 000005
【図５】
0003633541.tif 000006
【図６】
0003633541.tif 000007
【図７】
0003633541.tif 000008
【図８】
0003633541.tif 000009